(57)【特許請求の範囲】
【請求項１】
嵌合板及び弾性係止腕を有するボックスと、前記嵌合板を挿入する嵌合溝と前記弾性係止腕に係止する係止部とを有する裏カバーと、前記ボックスに着脱自在に装着される表カバーとを具備したボックスの取付構造において、前記弾性係止腕に、前記表カバーへ向けて突出するガイドリブを延設し、前記表カバーに、該ガイドリブが挿入されるスリットを形成し、該スリットに前記ガイドリブを挿入することにより、不適正な係止位置にあった前記弾性係止腕が適正な係止位置に達することを特徴とするボックスの取付構造。
【請求項２】
前記ガイドリブが挿入される前記スリットの開口縁部と前記ガイドリブとのいずれか一方、又は前記スリットの開口縁部と前記ガイドリブの両方に、前記ガイドリブを前記スリットへ導入する案内手段を設けたことを特徴とする請求項１記載のボックスの取付構造。
【請求項３】
前記案内手段が、前記スリットの開口縁部に形成され外方へ向けて該スリットが徐々に広がる方向に傾斜する傾斜案内面であることを特徴とする請求項２記載のボックスの取付構造。
【請求項４】
前記案内手段が、前記ガイドリブの先端に形成された先細り部であることを特徴とする請求項２記載のボックスの取付構造。
【発明の詳細な説明】
【０００１】
【発明の属する技術分野】
本発明は、ボックス（例えば、ヒューズボックスやリレーボックス等）の取付構造に関するものである。
【０００２】
【従来の技術】
従来、ヒューズボックスやリレーボックス等のボックスの取付構造には、例えば図５に示すようなものがある。図５は従来のボックスの取付構造を示す分解斜視図である。ボックス１の一側面１ａには、一対の嵌合板３、３を下向きに突設してある。また、この一側面１ａには、嵌合板３、３の間に、一対のアームロック５、５を設けてある。一側面１ａを挟むボックス１の平行な側面１ｂ、１ｂには、係止突起７をそれぞれ設けてある。
【０００３】
一方、ボックス１には、下方から少なくとも上面の開放された裏カバー９が装着される。裏カバー９の一内壁面９ａには、内壁上端面で開放する一対の嵌合溝１１、１１を形成してある。また、この内壁面９ａには、嵌合溝１１、１１の間に、内壁上端面で開放する一対の係止溝１３、１３を形成してある。
更に、ボックス１の上部には、表カバー１５が装着される。表カバー１５の平行な側面には、上述の係止突起７、７に係止するロック部１７を設けてある。
【０００４】
図６は図５に示したボックスの取付構造の一部を切り欠いた組立状態の側面図である。上述のボックスの取付構造では、嵌合板３、３が嵌合溝１１、１１に嵌合されると同時に、アームロック５、５が係止溝１３、１３に挿入され、アームロック５、５の係止爪５ａが係止溝１３、１３の係止突起１３ａに係止して、裏カバー９がボックス１の下方から装着される。また、この状態で、表カバー１５をボックス１の上部に被せ、ロック部１７と係止突起７、７を係止することで、表カバー１５がボックス１の上部に装着される。
【０００５】
【発明が解決しようとする課題】
上述した従来のボックスの取付構造は、アームロック５、５を係止溝１３、１３に挿入しながら弾性変形させ、アームロック５、５の係止爪５ａが係止突起１３ａを乗り越えたときに、アームロック５、５の弾性復帰力により係止爪５ａを係止突起１３ａに係止し、裏カバー９をボックス１に対して離脱不能に装着していた。ところが、例えばアームロック５、５の挿入深さが僅かに浅い等の理由により、図７に示すように係止爪５ａと係止突起１３ａとが未係止であると、裏カバー９がボックス１に対して離脱可能な不完全嵌合状態で装着され、ガタツキによる異音や裏カバー９の脱落等の発生する虞れがあった。
また、表カバー１５は、何ら取付け向きを規制する手段がないため、前後逆方向の取付けも可能となり、取付け向きを前後のいずれかに定めなければならない表カバー１５の場合には、前後が逆に取り付けられてしまう誤組付の生じる虞れがあった。
本発明は上記状況に鑑みてなされたもので、ボックスと裏カバーとの不完全嵌合が防止でき、且つ表カバーの誤組付が防止できるボックスの取付構造を提供することを目的とする。
【０００６】
【課題を解決するための手段】
上記目的を達成するための本発明に係る請求項１のボックスの取付構造は、嵌合板及び弾性係止腕を有するボックスと、前記嵌合板を挿入する嵌合溝と前記弾性係止腕に係止する係止部とを有する裏カバーと、前記ボックスに着脱自在に装着される表カバーとを具備したボックスの取付構造において、前記弾性係止腕に、前記表カバーへ向けて突出するガイドリブを延設し、前記表カバーに、該ガイドリブが挿入されるスリットを形成し、該スリットに前記ガイドリブを挿入することにより、不適正な係止位置にあった前記弾性係止腕が適正な係止位置に達することを特徴とする。
【０００７】
このボックスの取付構造では、スリットにガイドリブを挿入することにより、不適正な係止位置にあった弾性係止腕が適正な係止位置に達する構成なので、弾性係止腕が裏カバーの係止部に係止せずガイドリブが所定位置以外に配置された不完全嵌合時に、表カバーがボックスに装着されると、ガイドリブがスリット内に挿入されて所定位置に位置規制され、弾性係止腕が係止部に強制的に係止される。この結果、ボックスと裏カバーとが完全嵌合状態となる。また、表カバーの前後が逆に取り付けられると、ガイドリブとスリットとが一致せず、ガイドリブが表カバーに当たって表カバーの組付けが阻止され、表カバー取付け向きの誤りが検知される。
【０００８】
請求項２のボックスの取付構造は、前記ガイドリブが挿入される前記スリットの開口縁部と前記ガイドリブとのいずれか一方、又は前記スリットの開口縁部と前記ガイドリブの両方に、前記ガイドリブを前記スリットへ導入する案内手段を設けたことを特徴とする。
【０００９】
このボックスの取付構造では、不完全嵌合により所定位置からずれたガイドリブが、案内手段によってスリット内へ導き入れられる。また、同時に、ガイドリブをスリット内へ導く方向の反力が、弾性係止腕を係止部に係止させるための付勢力となる。
【００１０】
請求項３のボックスの取付構造は、前記案内手段が、前記スリットの開口縁部に形成され外方へ向けて該スリットが徐々に広がる方向に傾斜する傾斜案内面であることを特徴とする。
【００１１】
このボックスの取付構造では、傾斜案内面に沿ってガイドリブがスリット内へ導かれる。従って、ガイドリブの先端形状にかかわらず、ガイドリブがスリットへ案内される。また、傾斜角度を大きくすることにより、広い範囲に案内領域が形成可能になる。
【００１２】
請求項４のボックスの取付構造は、前記案内手段が、前記ガイドリブの先端に形成された先細り部であることを特徴とする。
【００１３】
このボックスの取付構造では、ガイドリブの先端が先細り部となることで、スリットの開口縁部とガイドリブとの位置ずれが吸収可能となり、不完全嵌合により所定位置からずれたガイドリブのスリット内への案内が簡単な構造で可能になる。
【００１４】
【発明の実施の形態】
以下、本発明に係るボックスの取付構造の好適な実施の形態を図面を参照して詳細に説明する。
図１は本発明に係るボックスの取付構造を示す分解斜視図、図２は図１の要部拡大側面図、図３は図１に示したボックスの取付構造の一部を切り欠いた不完全嵌合状態の側面図、図４は図１に示したボックスの取付構造の一部を切り欠いた完全嵌合状態の側面図である。
【００１５】
ボックス２１の一側面２１ａには、一対の嵌合板２３、２３を下向きに突設してある。また、この一側面２１ａには、嵌合板２３、２３の間に、一対の弾性係止腕であるアームロック２５、２５を設けてある。一側面２１ａを挟むボックス２１の平行な側面２１ｂ、２１ｂには、係止突起２７をそれぞれ設けてある。
【００１６】
一方、ボックス２１には、少なくとも上面の開放された裏カバー２９が下方から装着されるようになっている。裏カバー２９の一内壁面２９ａには、内壁上端面で開放する一対の嵌合溝３１、３１を形成してある。また、この内壁面２９ａには、嵌合溝３１、３１の間に、内壁上端面で開放する一対の係止部である係止溝３３、３３を形成してある。
更に、ボックス２１の上部には、表カバー３５が装着される。表カバー３５の平行な側面には、上述の係止突起２７、２７に係止するロック部３７を設けてある。ボックス２１の内部は、隔壁３８によって仕切られた複数の収容部４０となっている。
【００１７】
図２に示すように、アームロック２５は、Ｕ字状に形成され、一方の固定腕２５ａに、他方の可動腕２５ｂが下部同士で連結されている。固定腕２５ａは、ボックス２１に固定される。可動腕２５ｂは、固定腕２５ａのみに連設され、ボックス２１と非固定となって先端が自由端となる。従って、可動腕２５ｂは、固定腕２５ａに接近離反する方向に弾性変形して移動可能となっている。
【００１８】
この可動腕２５ｂの外側には係止爪３９が突設されている。一方、裏カバー２９に形成された係止溝３３は、アームロック２５の幅と略同一に形成されている。係止溝３３には、係止爪３９と対向する面に、係止部である係止突起４１が突設されている。アームロック２５の可動腕２５ｂは、下部を先端として係止溝３３に挿入されることにより、係止爪３９が係止突起４１に乗り上げ、固定腕２５ａに接近する方向に弾性変形されるとともに、係止爪３９が係止突起４１を通過した後には、弾性復帰力により再び固定腕２５ａから離反する方向に移動し、係止突起４１に係止するようになっている。これにより、アームロック２５は、係止溝３３からの離脱が不能となる。
【００１９】
それぞれの可動腕２５ｂの先端には、表カバー３５へ向かって突出するガイドリブ４３が延設されている。表カバー３５には、表カバー３５が正規の位置でボックス２１に装着されたとき、このガイドリブ４３を挿入する一対のスリット４５が形成されている。スリット４５は、ガイドリブ４３の幅と略同一に形成され、ガイドリブ４３を嵌入するようになっている。
【００２０】
ガイドリブ４３の先端には、案内手段である先細り部４７が形成されている。この実施形態による先細り部４７は、ガイドリブ４３の先端の片面を傾斜面として形成してある。なお、先細り部４７は、ガイドリブ４３の先端の両面を傾斜面とした山形（図２の破線で示す形状）に形成するものであってもよい。
【００２１】
一方、スリット４５の開口縁部には、案内手段である傾斜案内面４９が形成されている。傾斜案内面４９は、スリット４５の外方へ向けて、スリット４５が徐々に広がる方向に傾斜した傾斜面により形成されている。この傾斜案内面４９は、例えば、図２の右側のもののみを形成するものであってもよい。
【００２２】
このように構成されたボックスの取付構造の作用を説明する。
ボックス２１を取り付けるに際し、先ず、嵌合板２３、２３を嵌合溝３１、３１に嵌合すると、同時に、アームロック２５、２５を係止溝３３、３３に挿入する。
【００２３】
アームロック２５、２５は、係止溝３３、３３に挿入されることにより、係止爪３９が係止突起４１に当たり、更に挿入されることにより、係止爪３９が係止突起４１に乗り上げ、可動腕２５ｂが固定腕２５ａへ接近する方向に弾性変形する。更に、アームロック２５、２５が係止溝３３、３３に挿入され、係止爪３９が係止突起４１を通過すると、アームロック２５、２５は、可動腕２５ｂの弾性復帰力により固定腕２５ａから離反方向に移動し、係止爪３９を係止突起４１に係止する。
【００２４】
この際、例えばアームロック２５、２５の挿入深さが僅かに浅い等の理由により、図３に示すように係止爪３９と係止突起４１とが未係止であると、ガイドリブ４３は、係止爪３９と係止突起４１とが正規に係止した場合の位置と異なる位置となる。このような状態で、次の組付け手順である表カバー３５がボックス２１に向かって接近する方向に移動されると、ガイドリブ４３の先細り部４７がスリット４５の傾斜案内面４９に当たる。更に表カバー３５がボックス２１に向かって移動されると、ガイドリブ４３の先細り部４７は傾斜案内面４９に沿ってスリット４５内へ導入される。
【００２５】
即ち、アームロック２５、２５は、係止爪３９と係止突起４１とが係止する状態の正規の位置に強制的に移動され、この結果、未係止状態であった係止爪３９と係止突起４１とが係止され、図４に示すようにボックス２１と裏カバー２９とが完全嵌合状態となる。
【００２６】
また、表カバー３５の前後の一方（この実施形態では後面３５ａ）に、スリット４５が設けられているため、表カバー３５の前後が逆に取り付けられると、ガイドリブ４３とスリット４５とが一致せず、ガイドリブ４３が表カバー３５に当接して、表カバー３５の組付けが阻止される。この結果、表カバー３５の取付け向きの誤りが検知されることになる。
【００２７】
このように、上述のボックスの取付構造は、アームロック２５、２５の可動腕２５ｂの先端にガイドリブ４３を延設し、このガイドリブ４３を挿入するスリット４５を表カバー３５の前後面のいずれか一方に形成した。これにより、アームロック２５、２５の係止爪３９が係止突起４１に係止せず、ガイドリブ４３が所定位置以外に配置された不完全嵌合時に、表カバー３５をボックス２１に装着することにより、ガイドリブ４３をスリット４５に強制的に挿入して所定位置に規制できる。この結果、未係止であったアームロック２５、２５を係止突起４１に係止することができ、ボックス２１と裏カバー２９との不完全嵌合を解消することができる。
【００２８】
そして、表カバー３５の前後を逆に組付けた場合には、ガイドリブ４３とスリット４５とが一致せず、組付けが阻止されるので、正規の向きと異なる向きでの表カバー３５の誤組付けを防止することができる。
【００２９】
また、正規の組付け状態では、ガイドリブ４３がスリット４５内に嵌入するので、ボックス２１と表カバー３５との間に生じるガタツキも減少し、この結果、ガタツキによる異音も防止することができる。
【００３０】
更に、スリット４５とガイドリブ４３との間に案内手段を設けたので、不完全嵌合時においても、ガイドリブ４３をスムースにスリット４５へ導入することができ、従来同様の容易な組付け性を維持することができる。
【００３１】
なお、上述の実施形態では、スリット４５の開口縁部とガイドリブ４３の先端との両方に案内手段を設けたが、案内手段は、スリット４５の開口縁部、又はガイドリブ４３の先端のいずれか一方に、上述と同様のものを形成するものであってもよい。
【００３２】
【発明の効果】
以上詳細に説明したように、本発明に係る請求項１のボックスの取付構造は、弾性係止腕に、表カバーへ向かって突出するガイドリブを延設し、このガイドリブを挿入するスリットを表カバーに形成し、このスリットにガイドリブを挿入することにより、不適正な係止位置にあった弾性係止腕が適正な係止位置に達する構成なので、弾性係止腕が裏カバーの係止部に係止せず、ガイドリブが所定位置以外に配置された不完全嵌合時に、表カバーをボックスへ装着することにより、ガイドリブをスリットに挿入して所定位置に位置規制できる。この結果、弾性係止腕を係止部に強制的に係止させて、ボックスと裏カバーとの不完全嵌合を防止できる。また、表カバーの前後を逆に取り付けた場合には、ガイドリブとスリットとが一致しなくなるので、表カバーの誤組付を防止できる。
【００３３】
請求項２のボックスの取付構造は、スリットの開口縁部とガイドリブとのいずれか一方、又はその両方に、ガイドリブをスリットへ導くための案内手段を設けたので、不完全嵌合により所定位置からずれたガイドリブを、スムースにスリットへ導き入れることができる。この結果、組付性を良好にできる。
【００３４】
請求項３のボックスの取付構造は、スリットの外方へ向けてスリットが徐々に広がる傾斜案内面を、スリットの開口縁部に形成したので、ガイドリブの先端形状にかかわらず、ガイドリブをスムースに案内してスリットへ導き入れることができる。また、傾斜角度を大きくすることにより、広い範囲に案内領域を形成できる。
【００３５】
請求項４のボックスの取付構造は、ガイドリブの先端のみに先細り部を設ける簡単な構造で、ガイドリブをスリットへ案内することができる。
【図面の簡単な説明】
【図１】本発明に係るボックスの取付構造を示す分解斜視図である。
【図２】図１の要部拡大側面図である。
【図３】図１に示したボックスの取付構造の一部を切り欠いた不完全嵌合状態の側面図である。
【図４】図１に示したボックスの取付構造の一部を切り欠いた完全嵌合状態の側面図である。
【図５】従来のボックスの取付構造を示す分解斜視図である。
【図６】図５に示した従来の取付構造の一部を切り欠いた組立状態の側面図である。
【図７】図５に示した従来の取付構造の一部を切り欠いた不完全嵌合状態の側面図である。
【符号の説明】
２１  ボックス
２３  嵌合板
２５  アームロック（弾性係止腕）
２９  裏カバー
３１  嵌合溝
３５  表カバー
３９  係止爪（係止部）
４１  係止突起（係止部）
４３  ガイドリブ
４５  スリット
４７  先細り部（案内手段）
４９  傾斜案内面（案内手段）
【図１】
0004138103.tif 000002
【図２】
0004138103.tif 000003
【図３】
0004138103.tif 000004
【図４】
0004138103.tif 000005
【図５】
0004138103.tif 000006
【図６】
0004138103.tif 000007
【図７】
0004138103.tif 000008